(57)【要約】【課題】簡単な構成でかつ比較的低コストで製造でき、アコースティックピアノに近似したレットオフ感を、長期間にわたり安定して得ることができる電子鍵盤楽器の鍵盤装置を提供する。【解決手段】複数の鍵２と、各々が係合突起１１ｂを有し、対応する鍵２に連動して回動する複数のハンマー５と、不動のホルダ２８と、弾性材料で構成され、押鍵時および離鍵時におけるハンマー５の回動の途中に、係合突起１１ｂが一時的に係合し、押鍵時に鍵２のタッチ感にレットオフ感を付与する複数のレットオフ部品６と、を備え、複数のレットオフ部品６の各々は、ホルダ２８から、ハンマー２８が回動する際の係合突起１１ｂの回動経路Ｋに向かって延び、ハンマー５の回動に伴って係合突起１１ｂが係合することにより、押鍵時に圧縮され、離鍵時に撓ませられるように配置されている。【選択図】図１
2010262129.tif 000002
【特許請求の範囲】
【請求項１】
アコースティックピアノに近似したレットオフ感を付与するレットオフ機能を有する電子鍵盤楽器の鍵盤装置であって、
左右方向に並んだ状態で、各々が回動自在に設けられ、押鍵時および離鍵時に互いに反対方向に回動する複数の鍵と、
各々が係合部を有し、前記鍵ごとに回動自在に設けられ、対応する鍵に連動して回動する複数のハンマーと、
不動のホルダと、
弾性材料で構成され、前記ハンマーごとに前記ホルダに取り付けられ、押鍵時および離鍵時における前記ハンマーの回動の途中に、当該ハンマーの前記係合部が一時的に係合し、押鍵時に当該鍵のタッチ感にレットオフ感を付与する複数のレットオフ付与部材と、
を備え、
前記複数のレットオフ付与部材の各々は、前記ホルダから、前記ハンマーが回動する際の前記係合部の回動経路に向かって延び、当該ハンマーの回動に伴って当該係合部が係合することにより、押鍵時に圧縮され、離鍵時に撓ませられるように配置されていることを特徴とする電子鍵盤楽器の鍵盤装置。
【請求項２】
前記複数のハンマーの各々は、左右方向に延びる軸線を中心として、押鍵時に上方に、離鍵時に下方に回動するように構成されており、
前記各レットオフ付与部材は、前記回動経路に向かって延びる本体部を有し、
当該本体部は、その中心線と、前記ハンマーの前記係合部が係合する位置を接点とする前記回動経路の接線との為す角度のうち、上側の角度が下側の角度よりも小さくなるように配置されていることを特徴とする請求項１に記載の電子鍵盤楽器の鍵盤装置。
【請求項３】
前記各レットオフ付与部材は、前記本体部の先端に、当該本体部よりも小さい横断面積を有するくびれ部を介して設けられ、前記ハンマーの前記係合部が係合する頭部を、さらに有していることを特徴とする請求項２に記載の電子鍵盤楽器の鍵盤装置。
【請求項４】
前記各レットオフ付与部材には、前記くびれ部の上下にそれぞれ、上側スリットおよび下側スリットが形成され、
当該下側スリットは、前記上側スリットよりも深くかつ下方に向かって幅が大きくなるように形成されていることを特徴とする請求項３に記載の電子鍵盤楽器の鍵盤装置。
【請求項５】
前記各レットオフ付与部材には、前記くびれ部の左右にそれぞれ、左側スリットおよび右側スリットが形成されていることを特徴とする請求項４に記載の電子鍵盤楽器の鍵盤装置。
【請求項６】
前記各レットオフ付与部材の前記頭部の左半部および右半部の一方が、切り欠かれていることを特徴とする請求項４に記載の電子鍵盤楽器の鍵盤装置。
【請求項７】
前記各ハンマーは、前後方向に延びるとともに後端部において回動自在に支持されており、
前記係合部は、前記ハンマーの長さ方向の中央から上方に突出していることを特徴とする請求項２ないし６のいずれかに記載の電子鍵盤楽器の鍵盤装置。
【請求項８】
前記各レットオフ付与部材の前記本体部は、その長さ方向に沿って延びるとともに下方に突出し、互いに左右方向に間隔を隔てて配置された左右一対のリブを有していることを特徴とする請求項３ないし７のいずれかに記載の電子鍵盤楽器の鍵盤装置。
【請求項９】
前記各ハンマーの前記係合部は、前記レットオフ付与部材の前記頭部よりも大きい左右方向の幅寸法を有していることを特徴とする請求項３ないし８のいずれかに記載の電子鍵盤楽器の鍵盤装置。
【請求項１０】
前記各レットオフ付与部材の前記本体部は、前記くびれ部および前記頭部よりも高い硬度を有していることを特徴とする請求項３ないし９のいずれかに記載の電子鍵盤楽器の鍵盤装置。
【請求項１１】
前記ホルダおよび前記複数のレットオフ付与部材が、一体に成形され、当該ホルダが当該各レットオフ付与部材よりも硬い所定の硬質材料で構成されていることを特徴とする請求項１ないし１０のいずれかに記載の電子鍵盤楽器の鍵盤装置。
【請求項１２】
前記ホルダは、前記複数のハンマーに対応し、互いに所定間隔を隔てて並ぶように形成された複数の取付け孔を有し、
前記複数のレットオフ付与部材は、各々が、可撓性を有する材料で構成されかつ前記所定間隔よりも長い所定長さを有する連接部を介して、隣り合うように接続された状態で、一体に成形され、前記各レットオフ付与部材が、前記各取付け孔を介して、前記ホルダに取り付けられていることを特徴とする請求項１ないし１０のいずれかに記載の電子鍵盤楽器の鍵盤装置。
【請求項１３】
前記一体に成形された複数のレットオフ付与部材は、前記ホルダにおける前記複数の取付け孔の総数よりも少ない所定数の前記レットオフ付与部材を有する成形品で構成されていることを特徴とする請求項１２に記載の電子鍵盤楽器の鍵盤装置。
【発明の詳細な説明】
【技術分野】
【０００１】
本発明は、電子ピアノなどの電子鍵盤楽器に適用され、アコースティックピアノに近似したレットオフ感を付与するレットオフ機能を有する電子鍵盤楽器の鍵盤装置に関する。
【背景技術】
【０００２】
一般的なアコースティックピアノでは、その構造上、押鍵中における鍵のタッチ重さ（静的荷重）の変化、具体的には、タッチ重さの急激な増加およびその直後の急激な減少が生じることにより、演奏者がピアノを弾くときのタッチ感において、いわゆるレットオフ感が得られる。鍵のタッチ感は、ピアノを弾く上で、また表現力に優れた演奏を行う上でも非常に重要であり、したがって、電子ピアノなどの電子鍵盤楽器でも、アコースティックピアノと同様のタッチ感を得られることが好ましい。そのため、レットオフ感を付与するレットオフ機能を有する種々の電子鍵盤楽器の鍵盤装置が開発されており、従来、例えば特許文献１または２などに開示されたものが知られている。
【０００３】
特許文献１の鍵盤装置は、左右方向に並設されるとともに、各々が後端部において回動自在に支持された複数の鍵と、これらの鍵の下側に鍵ごとに回動自在に設けられ、対応する鍵の１回の打鍵における押鍵および離鍵に連動して、上下方向に回動する複数のハンマーと、これらの鍵およびハンマーの後方に配置され、鍵のタッチ感にレットオフ感を付与するためのレットオフユニットなどを備えている。このレットオフユニットは、ハンマー側に突出するジャックと、このジャックを回動自在に支持するとともに、自身も回動自在に支持されたジャックホルダと、このジャックホルダおよびジャックをそれぞれ所定方向に付勢する第１および第２弾性部材などで構成されている。
【０００４】
この鍵盤装置では、鍵が押鍵されると、それに連動して、ハンマーが上方に回動し、このハンマーがジャックに下方から当接するように係合する。この場合、ジャックがジャックホルダと一体となって、第１弾性部材の付勢力に抗して後方に回動し、ハンマーがさらに上方に回動することによって、ジャックとの係合が解除される。このように、鍵の押鍵中に、ハンマーがジャックに一時的に係合することにより、そのハンマーに回動方向と逆方向に荷重が一時的に作用することで、鍵のタッチ重さが急激に増加および減少し、それにより、タッチ感にレットオフ感が付与される。この押鍵後に鍵が離鍵されると、それに連動して、ハンマーが下方に回動し、元の位置に復帰する。この場合、その復帰回動の途中において、ハンマーがジャックに上方から当接するように係合することによって、ジャックが第２弾性部材の付勢力に抗して下方に回動し、ハンマーがさらに下方に回動することによって、ジャックとの係合が解除される。
【０００５】
一方、特許文献２の鍵盤装置は、上記引用文献１と同様の複数の鍵およびハンマーと、これらの後方に、ハンマーごとに配置され、鍵のタッチ感にレットオフ感を付与するための板ばねなどを備えている。この板ばねは、前後方向に水平に延びるとともに、後端部が所定形状の取付体に固定されている。具体的には、この取付体は、板ばねの上面および下面にそれぞれ接する第１および第２支点部を有しており、第１支点部が第２支点部よりも板ばねの自由端である前端寄りの所定位置に設けられている。
【０００６】
この鍵盤装置では、鍵が押鍵されると、それに連動して上方に回動したハンマーが、板ばねの前端部に下方から当接するように係合する。この場合、板ばねは、第１支点部を支点として上方に撓み、ハンマーがさらに上方に回動することによって、板ばねとの係合が解除される。このように、鍵の押鍵中に、ハンマーが板ばねに一時的に係合することにより、特許文献１の鍵盤装置と同様、鍵のタッチ重さの急激な増加および減少により、タッチ感にレットオフ感が付与される。この押鍵後に鍵が離鍵されると、それに連動して、ハンマーが下方に回動し、元の位置に復帰する。この場合、その復帰回動の途中において、ハンマーが板ばねの前端部に上方から当接するように係合し、それにより、板ばねが押鍵時と異なり、第２支点部を支点として下方に撓み、ハンマーがさらに下方に回動することによって、板ばねとの係合が解除される。
【先行技術文献】
【特許文献】
【０００７】
【特許文献１】特許３８６２８５８号公報
【特許文献２】特許３７６７１５３号公報
【発明の概要】
【発明が解決しようとする課題】
【０００８】
前述したように、特許文献１の鍵盤装置では、レットオフ感を付与するためのレットオフユニットが、互いに回動自在に連結されたジャックおよびジャックホルダ、ならびに第１および第２弾性部材などで構成されるので、全体として部品点数が多く、しかも構造が複雑である。そのため、鍵盤装置の製造コストが高くなってしまう。一方、特許文献２の鍵盤装置では、押鍵および離鍵により、板ばねが互いに異なる支点で上下に撓むので、板ばねの材質などによっては、長期間の使用に伴い、板ばねの撓みによるばね性が低下したり、板ばね自体が変形したりすることがある。このような場合には、押鍵中の適正なタイミングでかつ十分なレットオフ感を得られなくなるおそれがある。
【０００９】
本発明は、以上のような課題を解決するためになされたものであり、簡単な構成でかつ比較的低コストで製造でき、アコースティックピアノに近似したレットオフ感を、長期間にわたり安定して得ることができる電子鍵盤楽器の鍵盤装置を提供することを目的とする。
【課題を解決するための手段】
【００１０】
上記の目的を達成するために、請求項１に係る発明は、アコースティックピアノに近似したレットオフ感を付与するレットオフ機能を有する電子鍵盤楽器の鍵盤装置であって、左右方向に並んだ状態で、各々が回動自在に設けられ、押鍵時および離鍵時に互いに反対方向に回動する複数の鍵と、各々が係合部を有し、鍵ごとに回動自在に設けられ、対応する鍵に連動して回動する複数のハンマーと、不動のホルダと、弾性材料で構成され、ハンマーごとにホルダに取り付けられ、押鍵時および離鍵時におけるハンマーの回動の途中に、ハンマーの係合部が一時的に係合し、押鍵時に鍵のタッチ感にレットオフ感を付与する複数のレットオフ付与部材と、を備え、複数のレットオフ付与部材の各々は、ホルダから、ハンマーが回動する際の係合部の回動経路に向かって延び、ハンマーの回動に伴って係合部が係合することにより、押鍵時に圧縮され、離鍵時に撓ませられるように配置されていることを特徴とする。
【００１１】
この構成によれば、１回の打鍵における押鍵時および離鍵時に、鍵が互いに反対方向に回動し、これに連動して、対応するハンマーが回動する。また、押鍵時および離鍵時におけるハンマーの回動の途中に、ハンマーの係合部が、対応するレットオフ付与部材に一時的に係合する。このレットオフ付与部材は、弾性材料で構成されており、自身が取り付けられたホルダから、ハンマーが回動する際の係合部の回動経路に向かって延びている。そして、レットオフ付与部材は、ハンマーの回動に伴って係合部が係合することにより、押鍵時に圧縮され、離鍵時に撓ませられる。
【００１２】
このように、押鍵時には、回動するハンマーが、レットオフ付与部材に対し、これを圧縮するように係合するので、その反作用として、ハンマーには、レットオフ付与部材からの反発力が作用する。これにより、ハンマーの回動が抑制され、その際の回動抵抗によって、鍵のタッチ重さが急激に増加する。そして、ハンマーがさらに回動し、レットオフ付与部材に対する係合が解除されると、上記の回動抵抗が消失することによって、鍵のタッチ重さが急激に減少する。以上のようなタッチ重さの急激な増減により、鍵のタッチ感にレットオフ感が付与される。一方、離鍵時には、押鍵に伴い、上述したように回動したハンマーが、元の位置に復帰回動する途中に、レットオフ付与部材に一時的に係合し、これを撓ませる。この場合、レットオフ付与部材からハンマーに作用する回動抵抗は、押鍵時に圧縮されるレットオフ付与部材からの反発力による回動抵抗に比べて大幅に小さい。したがって、復帰回動中のハンマーが、レットオフ付与部材に係合しても、そのハンマーは、回動がほとんど抑制されることなく、迅速に復帰回動し、それに伴い、鍵も、押鍵前の位置に迅速に復帰回動することができる。
【００１３】
以上のように、比較的簡単な構成のレットオフ付与部材を用いて、鍵のタッチ感にレットオフ感を付与するので、アコースティックピアノに近似したレットオフ感を付与するレットオフ機能を有する電子鍵盤楽器の鍵盤装置を、簡単な構成でかつ比較的低コストで製造することができる。また、上記のレットオフ感は、レットオフ付与部材をハンマーで圧縮することによって得られるので、板ばねを撓ませる従来に比べて、レットオフ感を長期間にわたり安定して得ることができる。
【００１４】
請求項２に係る発明は、請求項１に記載の電子鍵盤楽器の鍵盤装置において、複数のハンマーの各々は、左右方向に延びる軸線を中心として、押鍵時に上方に、離鍵時に下方に回動するように構成されており、各レットオフ付与部材は、回動経路に向かって延びる本体部を有し、本体部は、その中心線と、ハンマーの係合部が係合する位置を接点とする回動経路の接線との為す角度のうち、上側の角度が下側の角度よりも小さくなるように配置されていることを特徴とする。
【００１５】
この構成によれば、ハンマーが、左右方向に延びる軸線を中心として、押鍵時に上方に、離鍵時に下方に回動する。また、ホルダに取り付けられたレットオフ付与部材の本体部は、ハンマーの係合部の回動経路に向かって延び、本体部の中心線と、係合部が係合する位置を接点とする上記回動経路の接線との為す角度のうち、上側の角度が下側の角度よりも小さくなるように配置されている。このように、レットオフ付与部材の本体部を、ハンマーに対して上記のように配置することにより、レットオフ付与部材のハンマーによる前述した押鍵時の圧縮、および離鍵時の撓みを容易に実現することができる。
【００１６】
請求項３に係る発明は、請求項２に記載の電子鍵盤楽器の鍵盤装置において、各レットオフ付与部材は、本体部の先端に、本体部よりも小さい横断面積を有するくびれ部を介して設けられ、ハンマーの係合部が係合する頭部を、さらに有していることを特徴とする。
【００１７】
この構成によれば、レットオフ付与部材において、回動するハンマーの係合部が係合する頭部が、本体部の先端にくびれ部を介して設けられている。このため、頭部に外力が作用すると、くびれ部において撓みが生じやすく、それにより、頭部が本体部に対して傾きやすい。
【００１８】
押鍵時に、回動するハンマーの係合部が、レットオフ付与部材の頭部に係合すると、ハンマーからの外力が、レットオフ付与部材の頭部を押圧するとともに、くびれ部を介して本体部を押圧するように作用する。また、この押圧直後、ハンマーの係合部は、レットオフ付与部材の頭部を押し上げ、本体部に対して上側に傾かせながら、頭部との係合が解除される。上述したように、頭部は、本体部に対して傾きやすいので、頭部に係合したハンマーの係合部が、頭部から円滑に外れる。以上のようなハンマーとレットオフ付与部材との係合およびその解除により、鍵ごとのばらつきが少なく、安定したレットオフ感を得ることができる。
【００１９】
一方、離鍵時に、ハンマーの係合部が、レットオフ付与部材の頭部に係合すると、ハンマーからの外力が、くびれ部において撓みが生じるように作用する。具体的には、レットオフ付与部材の頭部に係合（当接）したハンマーの係合部は、頭部を押し下げ、本体部に対して下側に傾かせながら、頭部から円滑に外れる。このように、離鍵時にレットオフ付与部材に係合したハンマーは、レットオフ付与部材からの回動抵抗をほとんど受けることなく、円滑かつ迅速に係合が解除され、それにより、前述したハンマーおよび鍵の迅速な復帰回動を確保することができる。
【００２０】
請求項４に係る発明は、請求項３に記載の電子鍵盤楽器の鍵盤装置において、各レットオフ付与部材には、くびれ部の上下にそれぞれ、上側スリットおよび下側スリットが形成され、下側スリットは、上側スリットよりも深くかつ下方に向かって幅が大きくなるように形成されていることを特徴とする。
【００２１】
この構成によれば、レットオフ付与部材のくびれ部の上下にそれぞれ、上側スリットおよび下側スリットが形成されているので、ハンマーの係合部がレットオフ付与部材の頭部に係合した直後に、くびれ部における撓みが上下方向に生じやすく、それにより、両者の係合が迅速に解除される。特に、下側スリットが、上側スリットよりも深くかつ下方に向かって幅が大きくなるように形成されているので、くびれ部における撓みは、離鍵時に下方に回動するハンマーがレットオフ付与部材に係合するときに、より大きくなる。これにより、前述した請求項３の作用効果を、より効果的に得ることができる。
【００２２】
請求項５に係る発明は、請求項４に記載の電子鍵盤楽器の鍵盤装置において、各レットオフ付与部材には、くびれ部の左右にそれぞれ、左側スリットおよび右側スリットが形成されていることを特徴とする。
【００２３】
この構成によれば、レットオフ付与部材のくびれ部の左右にそれぞれ、左側スリットおよび右側スリットが形成されているので、ハンマーの係合部がレットオフ付与部材の頭部に係合したときに、くびれ部における撓みが、上下方向に加えて、左右方向にも生じやすく、それにより、両者の係合が迅速に解除される。これにより、前述した請求項３の作用効果を、より一層効果的に得ることができる。
【００２４】
請求項６に係る発明は、請求項４に記載の電子鍵盤楽器の鍵盤装置において、各レットオフ付与部材の頭部の左半部および右半部の一方が、切り欠かれていることを特徴とする。
【００２５】
この構成によれば、ハンマーの係合部がレットオフ付与部材の頭部に係合したときに、くびれ部における撓みが、上下方向に加えて、頭部の切り欠かれていない側にも生じやすく、それにより、両者の係合が迅速に解除される。これにより、前述した請求項３の作用効果を、より一層効果的に得ることができる。
【００２６】
請求項７に係る発明は、請求項２ないし６のいずれかに記載の電子鍵盤楽器の鍵盤装置において、各ハンマーは、前後方向に延びるとともに後端部において回動自在に支持されており、係合部は、ハンマーの長さ方向の中央から上方に突出していることを特徴とする。
【００２７】
この構成によれば、係合部が、ハンマーの長さ方向の中央から上方に突出しているので、係合部をハンマーの回動支点の付近またはハンマーの先端付近に設ける場合に比べて、ハンマー周辺の大幅な設計変更を行うことなく、しかも、押鍵時における適切なタイミングでレットオフ感が得られるように、レットオフ付与部材を比較的容易に設置することができる。
【００２８】
請求項８に係る発明は、請求項３ないし７のいずれかに記載の電子鍵盤楽器の鍵盤装置において、各レットオフ付与部材の本体部は、その長さ方向に沿って延びるとともに下方に突出し、互いに左右方向に間隔を隔てて配置された左右一対のリブを有していることを特徴とする。
【００２９】
この構成によれば、レットオフ付与部材の本体部に、その長さ方向に沿って延びるとともに下方に突出する左右一対のリブが設けられているので、本体部自体を上下方向に撓みにくくすることができる。例えば、本体部が上下方向に撓みやすいと、押鍵時に回動するハンマーの係合部が、レットオフ付与部材の頭部に係合し、外れる際に、くびれ部に加えて本体部も撓むことで、その外れるタイミングが遅くなり、それにより、安定したレットオフ感を得られないことがある。したがって、上記構成のリブを本体部に設けることにより、ハンマーの係合部が、レットオフ付与部材の頭部に係合した後、適切なタイミングで外れ、それにより、安定したレットオフ感を得ることができる。
【００３０】
請求項９に係る発明は、請求項３ないし８のいずれかに記載の電子鍵盤楽器の鍵盤装置において、各ハンマーの係合部は、レットオフ付与部材の頭部よりも大きい左右方向の幅寸法を有していることを特徴とする。
【００３１】
この構成によれば、回動するハンマーの係合部がレットオフ付与部材の頭部に係合する際に、その頭部の左右方向の幅全体にわたって、ハンマーの係合部が係合する。これにより、レットオフ付与部材の頭部は、ハンマーの係合部が係合し始めてから外れるまでの間、毎回所定の同じ動きを行うので、毎回同一の安定したレットオフ感を得ることができる。また、レットオフ付与部材の取付け位置が、適正な位置に対して左右方向に若干ずれていても、その取付け誤差を吸収しながら、レットオフ付与部材の頭部とハンマーの係合部との上記の係合を確保することができる。
【００３２】
請求項１０に係る発明は、請求項３ないし９のいずれかに記載の電子鍵盤楽器の鍵盤装置において、各レットオフ付与部材の本体部は、くびれ部および頭部よりも高い硬度を有していることを特徴とする。
【００３３】
この構成によれば、レットオフ付与部材の本体部が、くびれ部および頭部よりも硬度が高く、比較的硬く構成されているので、この本体部をホルダに取り付けることにより、レットオフ付与部材をホルダにしっかりと安定して取り付けることができるとともに、その取付け精度を向上させることができる。
【００３４】
請求項１１に係る発明は、請求項１ないし１０のいずれかに記載の電子鍵盤楽器の鍵盤装置において、ホルダおよび複数のレットオフ付与部材が、一体に成形され、ホルダが各レットオフ付与部材よりも硬い所定の硬質材料で構成されていることを特徴とする。
【００３５】
この構成によれば、ホルダと複数のレットオフ付与部材を一体に成形するので、両者を別個に作製し、レットオフ付与部材をホルダに取り付ける場合に比べて、これらの製造効率を高めることができる。すなわち、複数のレットオフ付与部材がホルダに支持された成形品を、効率よく製造することができる。また、ホルダは、レットオフ付与部材よりも硬い硬質材料で構成されているので、ホルダを不動な状態に安定して設置でき、それにより、レットオフ付与部材の適切な位置への配置を確保することができる。
【００３６】
請求項１２に係る発明は、請求項１ないし１０のいずれかに記載の電子鍵盤楽器の鍵盤装置において、ホルダは、複数のハンマーに対応し、互いに所定間隔を隔てて並ぶように形成された複数の取付け孔を有し、複数のレットオフ付与部材は、各々が、可撓性を有する材料で構成されかつ所定間隔よりも長い所定長さを有する連接部を介して、隣り合うように接続された状態で、一体に成形され、各レットオフ付与部材が、各取付け孔を介して、ホルダに取り付けられていることを特徴とする。
【００３７】
この構成によれば、ホルダには、ハンマーに対応し、互いに所定間隔を隔てて並ぶように形成された複数の取付け孔が設けられている。また、複数のレットオフ付与部材は、各々が、連接部を介して、隣り合うように接続された状態で、一体に成形されている。このような複数のレットオフ付与部材を一組として一体に成形された成形品（以下「セット品」という）において、隣り合うレットオフ付与部材同士を接続する連接部は、可撓性を有する材料で構成され、ホルダの隣り合う取付け孔間の所定間隔よりも長い所定長さを有している。これにより、例えば、電子鍵盤楽器の機種ごとに、ホルダにおける取付け孔間の間隔が異なったり、設計変更などにより、ホルダにおける取付け孔間の間隔が変更されたりする場合でも、隣り合うレットオフ付与部材間の連接部を、取付け孔間の間隔に応じて適宜、撓ませることで、レットオフ付与部材間の間隔を調整しながら、セット品の各レットオフ付与部材を、取付け孔を介して、ホルダに取り付けることができる。このように、機種の異なる電子鍵盤楽器に対し、セット品を共通化することができるとともに、ホルダにおける取付け孔間の間隔の変更にも、柔軟に対応することができる。
【００３８】
請求項１３に係る発明は、請求項１２に記載の電子鍵盤楽器の鍵盤装置において、一体に成形された複数のレットオフ付与部材は、ホルダにおける複数の取付け孔の総数よりも少ない所定数のレットオフ付与部材を有する成形品で構成されていることを特徴とする。
【００３９】
この構成によれば、前記セット品が、ホルダにおける複数の取付け孔の総数よりも少ない所定数のレットオフ付与部材を有しており、ホルダに取り付けるべきレットオフ付与部材の数に応じて、複数のセット品を用意し、これらをホルダに取り付けることにより、必要な数分のレットオフ付与部材をホルダに取り付けることができる。また、セット品のレットオフ付与部材の数が、ホルダにおける取付け孔の総数よりも少ないので、取付け孔の総数と同数のレットオフ付与部材を一体成形する場合に比べて、上記セット品をコンパクトに構成でき、それにより、保管や取り扱いを容易に行うことができる。
【図面の簡単な説明】
【００４０】
【図１】（ａ）は、本発明の一実施形態による電子ピアノの鍵盤装置を、離鍵状態において示す側面図、（ｂ）は、（ａ）の一点鎖線円内を拡大して示す図である。
【図２】レットオフ部品を示す斜視図である。
【図３】レットオフ部品を示す図であり、（ａ）は平面図、（ｂ）は左側面図、（ｃ）は正面図である。
【図４】ハンマーの係合突起に対するレットオフ部品の配置状態を説明するための説明図である。
【図５】１回の打鍵における押鍵および離鍵の一連の動作を順に示す図であり、（ａ）は、押鍵時にハンマーがレットオフ部品に係合したときの状態、（ｂ）は、押鍵時にハンマーがレットオフ部品から外れたときの状態、（ｃ）は、離鍵時にハンマーがレットオフ部品に係合したときの状態を示す。
【図６】図５の（ａ）〜（ｃ）にそれぞれ対応し、レットオフ部品を中心に示す拡大図である。
【図７】鍵ストロークに応じたタッチ重さの推移を、押鍵の開始時から離鍵の終了時にわたって示す図である。
【図８】レットオフ部品の変形例を示す斜視図である。
【図９】図８のレットオフ部品を示す図であり、（ａ）は平面図、（ｂ）は左側面図、（ｃ）は正面図である。
【図１０】複数のレットオフ部品を一組とするセット品を説明するための説明図であり、（ａ）はホルダへの取付け前の状態、（ｂ）はホルダに取り付けられた状態を示す。
【発明を実施するための形態】
【００４１】
以下、図面を参照しながら、本発明の好ましい実施形態を詳細に説明する。図１は、本発明の一実施形態による電子ピアノの鍵盤装置を、離鍵状態において示している。この鍵盤装置１は、演奏時にアコースティックピアノに近似したレットオフ感を付与するレットオフ機能を有するものである。
【００４２】
なお、ここで、アコースティックピアノとしてのグランドピアノのタッチ感におけるレットオフ感の発生について、簡単に説明する。グランドピアノでは、押鍵が開始されると、鍵およびアクションなどがともに回動し、鍵のタッチ重さがゆるやかに増加する。鍵がある程度押し下げられると、アクションのジャックが、レギュレーティングボタンに当接することにより、アクションの回動が抑制され、その際の回動抵抗によって、鍵のタッチ重さが急激に増加する。そして、ジャックが、ハンマーを突き上げ、レペティションレバーから抜けるという動作であるレットオフにより、上記の回動抵抗が消失することによって、鍵のタッチ重さが急激に減少する。その後、鍵が押し下げの下限位置に達することにより、タッチ重さが再度、急激に増加する。以上のような押鍵時におけるタッチ重さの変化、特にレットオフの前後におけるタッチ重さの急激な増減による感覚が、演奏者のタッチ感にレットオフ感として感じられる。
【００４３】
図１に示すように、鍵盤装置１は、左右方向（図１（ａ）の表裏方向）に並んだ多数の鍵２（黒鍵を省略し、白鍵を１つのみ図示）と、これらの鍵２を下方から支持する鍵盤シャーシ３と、この鍵盤シャーシ３の後端部（図１（ａ）の右端部）に連結され、鍵２の押鍵情報を制御装置（図示せず）に伝達するためのアクション（後述するハンマー５および鍵スイッチ２５など）を支持するアクションシャーシ４と、鍵２ごとに設けられ、アクションシャーシ４に回動自在に支持された多数のハンマー５（１つのみ図示）と、ハンマー５ごとに設けられ、鍵２のタッチ感にレットオフ感を付与するための多数のレットオフ部品６（レットオフ付与部材、１つのみ図示）などを備えている。
【００４４】
鍵盤シャーシ３は、プレスによる打抜きおよび折曲げ加工した金属板などを、井桁状に組み立てたものであり、図示しない棚板上に固定されている。また、鍵盤シャーシ３の前後方向（図１（ａ）の左右方向）の中央には、多数のバランスピン７が左右方向（図１（ａ）の表裏方向）に並んで立設されており、各バランスピン７が、対応する鍵２の後述するバランスピン孔２ｃに遊挿されている。なお、図１（ａ）には、２つのバランスピン７、７が記載されているが、前側（同図の左側）のバランスピン７が、白鍵としての鍵２に係合し、後ろ側のバランスピン７が、省略した黒鍵に係合している。また、鍵盤シャーシ３の前端部には、鍵２ごとに、前後２つのガイドピン８、８が立設されており、これらのガイドピン８、８が、鍵２の後述するガイドピン孔２ｄ、２ｄに遊挿されている。
【００４５】
鍵２は、前後方向に延びるとともに矩形状の横断面を有する木製の鍵本体２ａと、その前半部の上面および前面に接着された合成樹脂製の鍵カバー２ｂで構成されている。鍵本体２ａの前後方向の中央部には、前記バランスピン孔２ｃが形成されており、鍵２は、このバランスピン孔２ｃを介して、バランスピン７に回動自在に支持されている。また、鍵本体２ａの前端部には、前後２つのガイドピン孔２ｄ、２ｄが形成されており、これらのガイドピン孔２ｄ、２ｄが、上記ガイドピン孔８、８にそれぞれ係合することにより、鍵２が回動する際の左右方向のぶれが防止される。
【００４６】
ハンマー５は、前後方向に延びる棒状のハンマー本体１１と、その左右両側面の前端部に取り付けられたおもり板１２（右側のもののみ図示）とを有している。ハンマー本体１１は合成樹脂で構成され、一方、おもり板１２は鉄などの金属材料で構成されている。ハンマー本体１１の後端部には、後方斜め下に開口した円弧状の軸受け１１ａが形成されており、ハンマー５は、この軸受け１１ａがアクションシャーシ４の後述する支点軸部２２ｂに係合することによって、アクションシャーシ４に上下方向に回動自在に支持されている。
【００４７】
また、ハンマー本体１１の長さ方向の中央には、ハンマー本体１１とほぼ直交し、上方に所定長さ突出するとともに、レットオフ部品６の後述する頭部３４よりも大きい左右方向の幅寸法（例えば１０ｍｍ）を有する係合突起１１ｂ（係合部）が設けられている。後述するように、この係合突起１１ｂの上端部が、ハンマー５の回動の途中に、前記レットオフ部品６に一時的に係合する。さらに、ハンマー本体１１の後端部には、軸受け１１ａの前側に、上向きの凸状に形成されたスイッチ押圧部１１ｃが設けられている。また、ハンマー本体１１の下面後端部には、キャプスタン１３がねじ込まれており、ハンマー５は、このキャプスタン１３を介して、対応する鍵２の上面後端部に載置されている。
【００４８】
アクションシャーシ４は、アルミニウムなどの金属材料の押出し加工による中空の押出成形品で構成され、すべてのハンマー５にわたるように、すなわち鍵２の並び方向である左右方向に延びていて、鍵盤シャーシ３に連結されるとともに、棚板上に固定されている。このアクションシャーシ４は、背壁２１と、この背壁２１とによって縦長の中空部２２ａを形成するハンマー支持部２２と、背壁２１とによって、ハンマー支持部２２の上方に直角三角形状の中空部２３ａを形成するとともに、前方斜め上に延びるスイッチ取付部２３などを有している。
【００４９】
ハンマー支持部２２は、その前側上端部に、前方斜め上に若干突出するとともに上方に開口した円弧状の支点軸部２２ｂを有しており、この支点軸部２２ｂに各ハンマー５の軸受け１１ａが回動自在に係合している。また、ハンマー支持部２２の前側中央部には、階段状に前方に延びるとともに、鍵盤シャーシ３の後端部に載置されたシャーシ連結部２２ｃが形成されている。このシャーシ連結部２２ｃの前端部に設けられた複数の連結ねじ２４（１つのみ図示）によって、アクションシャーシ４が鍵盤シャーシ３に連結されている。なお、シャーシ連結部２２ｃの前後方向の中央部には、すべての鍵２にわたるように左右方向に延び、離鍵状態における各鍵２の下面後端部を下方から支持するフェルト２２ｄが設けられている。
【００５０】
スイッチ取付部２３には、ハンマー５側に、各鍵２の押鍵情報を検出するための鍵スイッチ２５が取り付けられている。この鍵スイッチ２５は、プリント基板からなるスイッチ基板２５ａと、このスイッチ基板２５ａのハンマー５側に、鍵２ごとに取り付けられたゴムスイッチからなるスイッチ本体２５ｂとで構成されている。鍵スイッチ２５は、スイッチ基板２５ａの後端部が、スイッチ取付部２３の基部に形成された係合凹部２３ｂに差し込まれるとともに、スイッチ基板２５ａの前端部とスイッチ取付部２３との間にスペーサ２６を介してねじ止めされている。
【００５１】
また、スイッチ取付部２３は、その中空部２３ａから前方斜め上に延びる延設部２３ｃを有しており、この延設部２３ｃの先端部には、ハンマー５側に、ハンマー５の上方への回動を規制する、発泡ウレタンなどで構成されたストッパ２７が設けられている。さらに、延設部２３ｃの鍵スイッチ２５とストッパ２７の間には、プラスチック製（例えばＡＢＳ製）のホルダ２８を介して、前記レットオフ部品６が設けられている。
【００５２】
ホルダ２８は、すべてのハンマー５にわたるように左右方向に延びるとともに、所定形状の横断面を有しており、スイッチ取付部２３の延設部２３ｃにねじ止めされている。また、ホルダ２８の下端部には、ハンマー５ごとに、多数の取付け孔（図１０参照）が、ホルダ２８の長さ方向に並んだ状態で設けられている。そして、各取付け孔を介して、レットオフ部品６がホルダ２８に取り付けられている。
【００５３】
図２および図３は、レットオフ部品６を示している。このレットオフ部品６は、所定の弾性材料（例えば、スチレン系の熱可塑性エラストマーなど）から成る所定形状の成形品で構成されており、両図に示すように、レットオフ部品６自体をホルダ２８に取り付けるための取付部３１と、この取付部３１から前下がりに延びる本体部３２と、この本体部３２の先端に、くびれ部３３を介して設けられた頭部３４とを有している。
【００５４】
取付部３１は、上方に開放する中空部３１ａを有するブロック状に形成されており、上端部の左右両側にそれぞれ、水平に延びる係止片３１ｂ、３１ｂが設けられるとともに、下端部の前後左右にそれぞれ、係止凸部３１ｃが設けられている。レットオフ部品６がホルダ２８に取り付けられた状態では、取付部３１がホルダ２８の取付け孔に貫通し、係止片３１ｂおよび係止凸部３１ｃがそれぞれ、取付け孔の上側縁部および下側縁部にそれぞれ係止される。これにより、レットオフ部品６は、ホルダ２８にしっかりと取り付けられている。
【００５５】
本体部３２は、取付部３１の下端部から前下がりに所定長さ延びており、先端ほど、横断面が若干小さくなるように形成されている。また、本体部３２の下部には、本体部３２の長さ方向に沿って延びるとともに下方に突出し、互いに左右方向に間隔を隔てて配置された左右一対のリブ３２ａ、３２ａが設けられている。これにより、本体部３２は、上下方向に撓みにくくなっている。
【００５６】
頭部３４は、左右方向の所定の幅寸法（例えば５ｍｍ）を有するとともに、前側に凸に湾曲するように形成されており、本体部３２の先端上部に、本体部３２よりも小さい横断面を有する前記くびれ部３３を介して設けられている。このくびれ部３３の上下にはそれぞれ、上方に開放する上側スリット３３ａおよび下方に開放する下側スリット３３ｂが設けられている。下側スリット３３ｂは、上側スリット３３ａよりも深くかつ下方に向かって幅が大きくなるように形成されている。また、くびれ部３３の左右にはそれぞれ、左方に開放する左側スリット３３ｃおよび右方に開放する右側スリット３３ｄが設けられ、両者３３ｃ、３３ｄは左右対称に形成されている。なお、頭部３４の先端面に形成された比較的浅い溝３４は、ハンマー５の係合突起１１ｂと頭部３４との潤滑を確保するために、頭部３４の先端面に塗布されるグリースなどの潤滑剤を、長期間保持するためのものである。
【００５７】
以上のように構成された鍵盤装置１では、１回の打鍵による鍵２の回動に連動して、ハンマー５が、後端部の支点軸部２２ｂを中心として上下に回動する。具体的には、ハンマー５は、押鍵時に上方に回動し、押鍵後の離鍵時に下方に回動する。この場合、ハンマー５の係合突起１１ｂの先端部は、図１（ｂ）に示すように、支点軸部２２ｂを中心とする円弧状の経路（以下「回動経路Ｋ」という）を通るように移動する。そして、ハンマー５の回動の途中において、係合突起１１ｂが、レットオフ部品６の先端部、すなわち頭部３４に一時的に係合する。
【００５８】
図４は、ハンマー５の係合突起１１ｂに対するレットオフ部品６の配置状態を示している。同図に示すように、レットオフ部品６が、取付部３１を介してホルダ２８に取り付けられた状態において、本体部３２が、ハンマー５の係合突起１１ｂの回動経路Ｋに向かって延び、頭部３４が、回動経路Ｋの内側に若干突出するように配置されている。またこの場合、レットオフ部品６の本体部３２は、回動経路Ｋに対し、次のように配置されている。すなわち、本体部３２の外形横断面の中心を通る中心線Ｃと、頭部３４が回動経路Ｋと交差する位置、すなわちハンマー５の係合突起１１ｂの先端部が頭部３４と係合する位置を接点Ｓとする回動経路Ｋの接線Ｔとの為す角度のうち、上側の角度αが、下側の角度βよりも小さくなるように、本体部３２が傾斜した状態に配置されている。
【００５９】
次に、図１および図５〜７を参照しながら、鍵盤装置１の１回の打鍵における動作について説明する。図１に示す離鍵状態から、演奏者が鍵２の前端部を押し下げ、押鍵すると、鍵２がバランスピン７を中心として、同図の反時計方向に回動するとともに、これに連動して、ハンマー５がキャプスタン１３を介して押し上げられ、支点軸部２２ｂを中心として、同図の時計方向に回動する。この場合、鍵２のタッチ重さは、図７のＡに示すように、緩やかに増加する。なお、図７の横軸である鍵ストロークは、離鍵状態（押鍵開始前）における鍵２の前端部の高さを基準とし、その基準位置からの鍵２の押下げ距離である。
【００６０】
鍵２をさらに押鍵すると、鍵２およびハンマー５がさらに回動する。そして、図５（ａ）に示すように、ハンマー５の係合突起１１ｂが、レットオフ部品６に係合する。具体的には、図６（ａ）に示すように、係合突起１１ｂが、レットオフ部品６の頭部３４に係合し、この頭部３４を押圧するとともに、くびれ部３３を介して本体部３２を押圧することにより、レットオフ部品６が圧縮される。この場合、その反作用として、ハンマー５には、レットオフ部品６からの反発力が作用する。それにより、ハンマー５の回動が抑制され、その際の回動抵抗により、鍵２のタッチ重さは、図７のＢに示すように、急激に増加する。
【００６１】
また、上記の押圧直後、ハンマー５の係合突起１１ｂは、レットオフ部品６の頭部３４を押し上げ、本体部３２に対して上側に傾かせながら、頭部３４との係合が解除される。なおこの場合、レットオフ部品６に設けられた上側および下側スリット３３ａ、３３ｂ、ならびに左側および左側スリット３３ｃ、３３ｄにより、くびれ部３３における撓みの自由度が高く、そのため、ハンマー５の係合突起１１ｂがレットオフ部品６の頭部３４から円滑に外れる。
【００６２】
図５（ｂ）および図６（ｂ）に示すように、係合突起１１ｂが頭部３４から外れ、両者１１ｂおよび３４の係合が解除されると、ハンマー５の上記回動抵抗が消失する。これにより、鍵２のタッチ重さは、図７のＣに示すように、急激に減少する。
【００６３】
以上のように、押鍵時におけるハンマー５のレットオフ部品６に対する係合およびその解除により、タッチ重さが急激に増減し、その結果として、鍵２のタッチ感にレットオフ感が付与される。
【００６４】
その後、ハンマー５がストッパ２７に当接し、それとほぼ同時に、鍵２が押下げの下限位置に到達し、押鍵が終了する。この場合、鍵２のそれ以上の回動が阻止されるため、鍵２のタッチ重さは、図７のＤに示すように、再度、急激に増加する。
【００６５】
なお、以上の押鍵により、ハンマー５のスイッチ押圧部１１ｃが鍵スイッチ２５のスイッチ本体２５ｂを押圧し、ＯＮ状態にすることによって、鍵２の押鍵情報が制御装置に伝達される。そして、この制御装置により、伝達された押鍵情報に基づいて、電子ピアノの発音が制御される。
【００６６】
上述した押鍵が終了した状態から、演奏者が鍵２から指を離し、離鍵すると、鍵２が押鍵時と反対方向に回動し、図１に示す元の位置に復帰する。この鍵２の復帰回動に連動して、ハンマー５も、押鍵時と反対方向に復帰回動する。この場合、ハンマー５が、元の位置に復帰回動する途中に、ハンマー５の係合突起１１ｂが、レットオフ部品６に係合する。具体的には、図５（ｃ）および図６（ｃ）に示すように、係合突起１１ｂの先端部が、レットオフ部品６の頭部３４に斜め上から当接し、これを押し下げる。この場合、くびれ部３３において撓みが生じやすいため、係合突起１１ｂは、頭部３４を押し下げ、本体部３２に対して下側に傾かせながら、頭部３４から円滑に外れる。
【００６７】
このように、離鍵時にレットオフ部品６に係合したハンマー５は、レットオフ部品６からの回動抵抗をほとんど受けることなく、円滑かつ迅速に係合が解除され、それにより、ハンマー５および鍵２が迅速に復帰回動する。なお、離鍵時における鍵２のタッチ重さは、図７に示すように、押鍵時に比べて全体的に小さく、離鍵開始直後に急激に減少した後、緩やかに減少する。
【００６８】
以上詳述したように、本実施形態によれば、押鍵時および離鍵時におけるハンマー５の回動の途中に、ハンマー５がレットオフ部品６に一時的に係合する。この場合、押鍵時には、ハンマー５の係合突起１１ｂが、レットオフ部品６の頭部３４を押圧することで、レットオフ部品６を圧縮し、頭部３４の押圧直後、頭部３４から円滑に外れる。これにより、タッチ重さが急激に増減し、鍵２ごとにばらつきがなく、安定したレットオフ感を、タッチ感に付与することができる。このようなレットオフ感を得るために、比較的簡単な構成のレットオフ部品６を用いているので、アコースティックピアノに近似したレットオフ感を付与するレットオフ機能を有する鍵盤装置１を、簡単な構成でかつ比較的低コストで製造することができる。また、板ばねを撓ませることでレットオフ感を得る従来に比べて、レットオフ感を長期間にわたり安定して得ることができる。
【００６９】
一方、離鍵時には、ハンマー５の係合突起１１ｂが、レットオフ部品６の頭部３４に斜め上から当接し、くびれ部３３を撓ませながら、頭部３４から円滑に外れる。したがって、復帰回動中のハンマー５が、レットオフ部品６に係合しても、そのハンマー５は、回動がほとんど抑制されることなく、迅速に復帰回動し、それに伴い、鍵も、押鍵前の位置に迅速に復帰回動することができる。
【００７０】
また、ハンマー５の係合突起１１ｂが、ハンマー本体１１の長さ方向の中央から上方に突出するように設けられ、レットオフ部品６が、スイッチ取付部２３の鍵スイッチ２５とストッパ２７との間に設けられている。鍵盤装置１と同じタイプで、係合突起１１ｂおよびレットオフ部品６を有しない従来の鍵盤装置では、ハンマー５の回動を確保するために、比較的大きなスペースが設けられている。したがって、そのスペースに、係合突起１１ｂおよびレットオフ部品６を設けるので、ハンマー周辺の大幅な設計変更を行うことなく、しかも、押鍵時における適切なタイミングでレットオフ感が得られるように、レットオフ部品６を比較的容易に設置することができる。
【００７１】
また、ハンマー５の係合突起１１ｂは、レットオフ部品６の頭部３４よりも左右方向の幅寸法が大きいので、頭部３４に係合する際に、その頭部３４の左右方向の幅全体にわたって係合する。これにより、レットオフ部品６の頭部３４は、ハンマー５の係合突起１１ｂが係合し始めてから外れるまでの間、毎回所定の同じ動きを行うので、毎回同一の安定したレットオフ感を得ることができる。また、レットオフ部品６の取付け位置が、適正な位置に対して左右方向に若干ずれていても、その取付け誤差を吸収しながら、レットオフ部品６の頭部３４とハンマー５の係合突起１１ｂとの上記の係合を確保することができる。
【００７２】
図８および図９は、レットオフ部品６の変形例を示している。なお、両図では、前述した図２および図３に示すレットオフ部品６と同じ部分については同一の符号を付し、詳細な説明は省略するものとする。
【００７３】
図８および図９に示すように、この変形例のレットオフ部品６Ａは、レットオフ部品６に対し、くびれ部３３の左側および右側スリット３３ｃおよび３３ｄが省略されるとともに、頭部３４の右半部が、内側に凸に湾曲するように切り欠かれている。この切欠き部３４ｂが頭部３４に形成されていることにより、押鍵時にハンマー５の係合突起１１ｂが頭部３４に当接した直後に、くびれ部３３における撓みが、切除部３４ｂと反対の左側に生じやすい。それにより、ハンマー５の係合突起１１ｂが頭部３４に当接した後、係合突起１１ｂが頭部３４から円滑に外れる。なお、この作用、効果を十分に確保するために、上記の切欠き部３４ｂは、本体部３２の下部の各リブ３２ａの幅寸法以上に切りかかれていることが好ましい。
【００７４】
また、複数のレットオフ部品６を一組とするセット品として、レットオフ部品６を成形してもよい。図１０（ａ）は、上述したレットオフ部品６Ａが、左右方向に複数個（例えば１２個）連なるように成形されたセット品６Ｂを示している。このセット品６Ｂは、互いに隣接する２つのレットオフ部品６Ａ、６Ａが、連接部３５を介して接続された状態で、一体に成形されている。連接部３５は、可撓性を有する材料で構成されるとともに、ホルダ２８の互いに隣接する取付け孔２８ａ、２８ａ間の間隔よりも長い所定長さを有しており、２つのレットオフ部品６Ａ、６Ａの係止片３１ｂ、３１ｂを接続するように設けられている。
【００７５】
このように構成されたセット品６Ｂは、図１０（ｂ）に示すように、レットオフ部品６Ａがそれぞれ、取付け孔２８ａに上方から挿入された状態で、ホルダ２８に取り付けられる。またこの場合、セット品６Ｂの各連接部３５は、ホルダ２８の取付け孔２８ａ、２８ａ間よりも長い分、上方に凸に撓む。
【００７６】
このようなセット品６Ｂを採用することにより、例えば、電子ピアノの機種ごとに、ホルダ２８における取付け孔２８ａ、２８ａ間の間隔が異なったり、設計変更などにより、ホルダ２８における取付け孔２８ａ、２８ａ間の間隔が変更されたりする場合でも、隣り合うレットオフ部品６Ａ、６Ａ間の連接部３５を、取付け孔２８ａ、２８ａ間の間隔に応じて適宜、撓ませることで、レットオフ部品６Ａ、６Ａ間の間隔を調整しながら、セット品６Ｂの各レットオフ部品６Ａを、取付け孔２８ａを介して、ホルダ２８に取り付けることができる。このように、機種の異なる電子ピアノに対し、セット品６Ｂを共通化することができるとともに、ホルダ２８における取付け孔２８ａ、２８ａ間の間隔の変更にも、柔軟に対応することができる。また、単一のセット品６Ｂにおけるレットオフ部品６Ａの数を、ホルダ２８の取付け孔２８ａの総数（例えば８８）よりも少なくすることにより、セット品６Ｂを比較的コンパクトに構成でき、それにより、保管や取り扱いを容易に行うことができる。
【００７７】
なお、本発明は、説明した上記実施形態に限定されることなく、種々の態様で実施することができる。本実施形態では、レットオフ感を得るためのレットオフ部品として２種類の形状のレットオフ部品６および６Ａを例示したが、これらの形状はあくまで例示であり、押鍵時に圧縮され、離鍵時に撓ませられるような形状のものであれば、種々の形状のレットオフ部品を採用することができる。
【００７８】
また、レットオフ部品６が取り付けられたホルダ２８は、スイッチ取付部２３の延設部２３ｃにねじ止めしたが、例えば、ホルダ２８のねじ止め孔を、前後方向に延びる長孔状に形成することにより、レットオフ部品６とハンマー５の回動経路Ｋとの距離を変更することが可能となる。これにより、レットオフ感を生じさせるためのタッチ重さの急激な増減の大きさを、容易に調整することができる。
【００７９】
また、レットオフ部品６（以下、レットオフ部品６Ａも含む）において、二色成形などにより、本体部３２および取付部３１が、くびれ部３３および頭部３４よりも高い硬度を有するように、同一材料または異なる材料で構成してもよい。この場合には、レットオフ部品６を、ホルダ２８にしっかりと安定して取り付けることができるとともに、その取付け精度を向上させることができる。
【００８０】
また、ホルダ２８とレットオフ部品６を一体に成形してもよい。この場合には、ホルダ２８およびレットオフ部品６を別個に作製し、レットオフ部品６をホルダ２８に取り付ける場合に比べて、これらの製造効率を高めることができる。すなわち、複数のレットオフ部品６がホルダ２８に支持された成形品を、効率よく製造することができる。ただしこの場合、二色成形などにより、ホルダ２８をレットオフ部品６よりも硬い硬質材料で構成することが好ましい。これにより、ホルダ２８を不動な状態に安定して設置でき、それにより、レットオフ部品６の適切な位置への配置を確保することができる。
【００８１】
また、実施形態で示した鍵盤装置１の細部の構成などは、あくまで例示であり、本発明の趣旨の範囲内で適宜、変更することができる。
【符号の説明】
【００８２】
１      鍵盤装置
２      鍵
５      ハンマー
６      レットオフ部品（レットオフ付与部材）
６Ａ    レットオフ部品（レットオフ付与部材）
６Ｂ    セット品
１１    ハンマー本体
１１ｂ  係合突起（係合部）
２２ｂ  支点軸部（軸線）
２８    ホルダ
２８ａ  取付け孔
３１    取付部
３２    本体部
３２ａ  リブ
３３    くびれ部
３３ａ  上側スリット
３３ｂ  下側スリット
３３ｃ  左側スリット
３３ｄ  右側スリット
３４    頭部
３４ｂ  切欠き部
３５    連接部
Ｋ    回動経路
Ｃ    中心線
Ｔ    接線
α    上側の角度
β    下側の角度
【図１】
2010262129.tif 000003
【図２】
2010262129.tif 000004
【図３】
2010262129.tif 000005
【図４】
2010262129.tif 000006
【図５】
2010262129.tif 000007
【図６】
2010262129.tif 000008
【図７】
2010262129.tif 000009
【図８】
2010262129.tif 000010
【図９】
2010262129.tif 000011
【図１０】
2010262129.tif 000012